【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
撮影レンズを介して被写体を撮影するカメラに使用される閃光装置であって、
発光光軸を前記撮影レンズの撮影光軸側に向けることが可能な発光部と、
前記撮影レンズの焦点距離に応じて前記発光部の照射角を変更する照射角変更手段と、
前記発光部の発光光軸が撮影光軸側に向けられたか否かを検出する検出手段と、
前記検出手段により前記発光部の発光光軸が撮影光軸側に向けられたことが検出された場合に、前記発光部を所定の広角側の照射角に設定するように前記照射角変更手段を制御する制御手段と、
を具備することを特徴とする閃光装置。
【請求項２】
前記所定の広角側の照射角とは、前記照射角変更手段が設定することが可能な最も広角側の照射角であることを特徴とする請求項１に記載の閃光装置。
【請求項３】
被写体を撮影するための撮影レンズと、全自動モードを含む少なくとも２つの撮影モードから１つの撮影モードを選択する選択手段とを備えるカメラと、
発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、
前記カメラ及び閃光装置の少なくとも一方に配置され、前記選択手段により全自動モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、
を具備することを特徴とする閃光撮影システム。
【請求項４】
前記所定の広角側の照射角とは、前記照射角変更手段が設定することが可能な最も広角側の照射角であることを特徴とする請求項３に記載の閃光撮影システム。
【請求項５】
被写体を撮影するための撮影レンズと、接写モードを含む少なくとも２つの撮影モードから１つの撮影モードを選択する選択手段とを備えるカメラと、
発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、
前記カメラ及び閃光装置の少なくとも一方に配置され、前記選択手段により接写モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、
を具備することを特徴とする閃光撮影システム。
【請求項６】
前記所定の広角側の照射角とは、前記照射角変更手段が設定することが可能な最も広角側の照射角であることを特徴とする請求項５に記載の閃光撮影システム。
【請求項７】
被写体を撮影するための撮影レンズと、全自動モードと接写モードとを含む少なくとも２つの撮影モードから１つの撮影モードを選択する選択手段とを備えるカメラと、
発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、
前記カメラ及び閃光装置の少なくとも一方に配置され、前記選択手段により全自動モード又は接写モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、
を具備することを特徴とする閃光撮影システム。
【請求項８】
前記所定の広角側の照射角とは、前記照射角変更手段が設定することが可能な最も広角側の照射角であることを特徴とする請求項７に記載の閃光撮影システム。
【請求項９】
被写体を撮影するための撮影レンズと、全自動モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、
前記選択手段により全自動モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする閃光撮影システムの制御方法。
【請求項１０】
被写体を撮影するための撮影レンズと、接写モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、
前記選択手段により接写モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする閃光撮影システムの制御方法。
【請求項１１】
被写体を撮影するための撮影レンズと、全自動モードと接写モードとを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、
前記選択手段により全自動モード又は接写モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする閃光撮影システムの制御方法。
【請求項１２】
請求項９乃至１１のいずれか１項に記載の制御方法をコンピュータに実行させることを特徴とするプログラム。
【請求項１３】
請求項１２に記載のプログラムをコンピュータが読み取り可能に記憶したことを特徴とする記憶媒体。
【手続補正２】
【補正対象書類名】明細書
【補正対象項目名】０００７
【補正方法】変更
【補正の内容】
【０００７】
上述した課題を解決し、目的を達成するために、本発明に係わる閃光装置は、撮影レンズを介して被写体を撮影するカメラに使用される閃光装置であって、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段と、前記検出手段により前記発光部の発光光軸が撮影光軸側に向けられたことが検出された場合に、前記発光部を所定の広角側の照射角に設定するように前記照射角変更手段を制御する制御手段と、を具備することを特徴とする。
【手続補正３】
【補正対象書類名】明細書
【補正対象項目名】０００８
【補正方法】変更
【補正の内容】
【０００８】
また、この発明に係わる閃光装置において、前記所定の広角側の照射角とは、前記照射角変更手段が設定することが可能な最も広角側の照射角であることを特徴とする。
【手続補正４】
【補正対象書類名】明細書
【補正対象項目名】０００９
【補正方法】変更
【補正の内容】
【０００９】
また、本発明に係わる閃光撮影システムは、被写体を撮影するための撮影レンズと、全自動モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、前記カメラ及び閃光装置の少なくとも一方に配置され、前記選択手段により全自動モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、を具備することを特徴とする。
【手続補正５】
【補正対象書類名】明細書
【補正対象項目名】００１０
【補正方法】変更
【補正の内容】
【００１０】
また、この発明に係わる閃光撮影システムにおいて、前記所定の広角側の照射角とは、前記照射角変更手段が設定することが可能な最も広角側の照射角であることを特徴とする。
【手続補正６】
【補正対象書類名】明細書
【補正対象項目名】００１１
【補正方法】変更
【補正の内容】
【００１１】
また、本発明に係わる閃光撮影システムは、被写体を撮影するための撮影レンズと、接写モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、前記カメラ及び閃光装置の少なくとも一方に配置され、前記選択手段により接写モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、を具備することを特徴とする。
【手続補正７】
【補正対象書類名】明細書
【補正対象項目名】００１２
【補正方法】変更
【補正の内容】
【００１２】
また、この発明に係わる閃光撮影システムにおいて、前記所定の広角側の照射角とは、前記照射角変更手段が設定することが可能な最も広角側の照射角であることを特徴とする。
【手続補正８】
【補正対象書類名】明細書
【補正対象項目名】００１３
【補正方法】変更
【補正の内容】
【００１３】
また、本発明に係わる閃光撮影システムは、被写体を撮影するための撮影レンズと、全自動モードと接写モードとを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置と、前記カメラ及び閃光装置の少なくとも一方に配置され、前記選択手段により全自動モード又は接写モードが選択され、且つ前記検出手段により前記発光部の発光光軸が撮影光軸側に向けられたことが検出された場合に、前記発光部を所定の広角側の照射角に設定するように前記照射角変更手段を制御する制御手段と、を具備することを特徴とする。
【手続補正９】
【補正対象書類名】明細書
【補正対象項目名】００１４
【補正方法】変更
【補正の内容】
【００１４】
また、この発明に係わる閃光撮影システムにおいて、前記所定の広角側の照射角とは、前記照射角変更手段が設定することが可能な最も広角側の照射角であることを特徴とする。
【手続補正１０】
【補正対象書類名】明細書
【補正対象項目名】００１５
【補正方法】変更
【補正の内容】
【００１５】
また、本発明に係わる閃光撮影システムの制御方法は、被写体を撮影するための撮影レンズと、全自動モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、前記選択手段により全自動モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする。
【手続補正１１】
【補正対象書類名】明細書
【補正対象項目名】００１６
【補正方法】変更
【補正の内容】
【００１６】
また、本発明に係わる閃光撮影システムの制御方法は、被写体を撮影するための撮影レンズと、接写モードを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、前記選択手段により接写モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする。
【手続補正１２】
【補正対象書類名】明細書
【補正対象項目名】００１７
【補正方法】変更
【補正の内容】
【００１７】
また、本発明に係わる閃光撮影システムの制御方法は、被写体を撮影するための撮影レンズと、全自動モードと接写モードとを含む少なくとも２つの撮影モードから１つの撮影モードを選択する選択手段とを備えるカメラと、発光光軸を前記撮影レンズの撮影光軸側に向けることが可能な発光部と、前記撮影レンズの焦点距離に応じて前記発光部の照射角を変更する照射角変更手段と、前記発光部の発光光軸が撮影光軸側に向けられたか否かを検出する検出手段とを備える閃光装置とを具備する閃光撮影システムを制御するための方法であって、前記選択手段により全自動モード又は接写モードが選択され、且つ前記検出手段により前記発光部の発光光軸が撮影光軸側に向けられたことが検出された場合に、前記発光部を所定の広角側の照射角に設定するように前記照射角変更手段を制御する工程を有することを特徴とする。
【手続補正１３】
【補正対象書類名】明細書
【補正対象項目名】００１９
【補正方法】変更
【補正の内容】
【００１９】
また、本発明に係わる記憶媒体は、上記のプログラムをコンピュータが読み取り可能に記憶したことを特徴とする。